(57)【特許請求の範囲】
【請求項１】
ディスクの記録及び／又は再生を行うディスクドライブ装置への挿入端となる一側面が略円弧状に形成されると共に該ディスクの少なくとも一部を内外周に亘って外方に臨ませる記録及び／又は再生用の開口部がディスク面と対向する少なくとも一方の主面に形成される該ディスクを回転可能に収納するカートリッジ本体と、
上記開口部を開閉するシャッタ部と、上記カートリッジ本体の上記一側面側と上記ディスクドライブ装置への挿入方向と略直交する方向に該シャッタ部を移動可能に連結する連結部とを有するシャッタ部材と、
上記カートリッジ本体の上記一側面に設けられた凹部に選択的に係合されるロック部が一端に設けられる板バネ状のシャッタロック部材が、該シャッタ部材に設けられる切欠部より一部が外方に臨まされ変位された状態で該シャッタ部材に設けられた収納部に収納されるシャッタロック機構とを備えるディスクカートリッジ。
【請求項２】
上記シャッタ部材を上記開口部を閉塞する方向に付勢する付勢部材が上記カートリッジ本体の上記一側面側に配設されることを特徴とする請求項１記載のディスクカートリッジ。
【請求項３】
上記付勢部材が配設される上記カートリッジ本体の上記一側面側に設けられる収納部は、該収納部を構成する上記カートリッジ本体の内周側の収納壁がカートリッジ本体の外周側の収納壁より高く形成されることを特徴とする請求項２記載のディスクカートリッジ。
【請求項４】
上記シャッタ部材が上記開口部を閉塞する位置にほぼ対応して該シャッタ部材の移動をガイドする第１のガイド機構と、上記シャッタ部材が上記開口部を開放する位置にほぼ対応して該シャッタ部材の移動をガイドする第２のガイド機構とを備えることを特徴とする請求項１記載のディスクカートリッジ。
【請求項５】
ディスクを回転操作するディスク回転操作機構と、
上記ディスク回転操作機構により回転操作される上記ディスクに対し情報信号の記録及び／又は再生を行う記録及び／又は再生部と、
装置本体への挿入端となる略円弧状に形成されたカートリッジ本体の一側面側に、上記ディスクのディスク面の少なくとも一部を内外周に亘って外方に臨ませる該カートリッジ本体の少なくとも一方のディスク面と対向する主面に設けられた開口部を開閉するシャッタ部材が取り付けられるディスクカートリッジが装着され上記記録及び／又は再生部まで該ディスクカートリッジを移動操作する装着部と、
上記装着部に装着された上記ディスクカートリッジの上記シャッタ部材の移動操作をするシャッタ開放機構とを備え、
上記装着部には、上記シャッタ部材の開閉動作をガイドするガイド部が設けられており、
上記シャッタ開放機構は、上記シャッタ部材に設けられた切欠部に係合されるシャッタ開放ピンが設けられる回動アームを有し、上記装着部により上記ディスクカートリッジが上記記録及び／又は再生部へ移動操作されるに従って上記回動アームが回動され、上記シャッタ部材を上記開口部を開放する方向に移動させ、
上記ディスクカートリッジは、上記カートリッジ本体の上記一側面に設けられた凹部に選択的に係合されるロック部が一端に設けられる板バネ状のシャッタロック部材が、シャッタ部材に設けられる切欠部より一部が外方に臨まされ変位された状態で該シャッタ部材に設けられた収納部に収納されるシャッタロック機構を有し、上記シャッタ開放ピンは、上記切欠部より進入し、上記シャッタロック部材を押圧し変位させ、上記ロック部が上記凹部に係合した状態を解除させることによって、上記シャッタ部材を上記開口部を開放する方向に移動可能な状態にすることを特徴とするディスクドライブ装置。
【発明の詳細な説明】
【０００１】
【発明の属する技術分野】
本発明は、ディスクが回転可能に収納されるカートリッジ本体の一側面が円弧状に形成され、この一側面にディスクをカートリッジ本体より外方に臨ませる開口部を閉塞するシャッタ部材が取り付けられるディスクカートリッジ及びこのディスクカートリッジのディスクドライブ装置に関する。
【０００２】
【従来の技術】
従来、ディスクカートリッジは、カートリッジ本体に磁気ディスク、光磁気ディスク、光ディスク等のディスクを回転可能に収納してなる。ディスクカートリッジは、ディスクの種類に拘わらず矩形状のカートリッジ本体にディスクを収納する。
【０００３】
例えばディスクカートリッジ１１０は、図１９に示すように、上下一対のハーフ１１１，１１２を突き合わせ結合した矩形状のカートリッジ本体１１３内にほぼ内接するように光磁気ディスク１１４が回転可能に収納されてなる。この光磁気ディスク１１４は、中央部に光磁気ディスク１１４を回転操作するディスクテーブルに磁気吸着されるクランピングプレートが取り付けられ、このクランピングプレートの外周側に情報信号が記録される信号記録領域が形成される。
【０００４】
カートリッジ本体１１３の上面側には、磁気ヘッドが進入する記録用の開口部１１５が形成される。また、カートリッジ本体１１３の下面側には、図示しないが開口部１１５に対向して光磁気ディスク１１４の信号記録領域を光ピックアップに臨ませる光ピックアップ用の開口部が形成される。カートリッジ本体１１３に収納された光磁気ディスク１１４は、各開口部１１５を介して信号記録領域の一部が径方向に亘って外方に臨まされる。また、カートリッジ本体１１３の下面側の中央部には、図示しないがディスクテーブルが進入する円形のディスクテーブル進入用の中央開口部が形成される。中央開口部からは、光磁気ディスク１１４の中央部に取り付けられたクランピングプレートが外方に臨まされる。
【０００５】
そして、カートリッジ本体１１３には、記録用の開口部１１５及び光ピックアップ用の開口部を開閉するシャッタ部材１１６が取り付けられる。シャッタ部材１１６は、全体として略コ字状に形成され、記録用の開口部１１５及び光ピックアップ用の開口部を閉塞するようにカートリッジ本体１１３の前面１１３ａに移動可能に取り付けられ、カートリッジ本体１１３の前面１１３ａに沿って移動することにより、記録用の開口部１１５及び光ピックアップ用の開口部を開閉する。
【０００６】
以上のようなディスクカートリッジ１１０は、シャッタ部材１１６が移動する前面１１３ａと直交する側面１１３ｂを挿入端として、情報信号の記録再生を行う記録再生装置に対する挿脱が行われる。すなわち、ディスクカートリッジ１１０は、図１９中矢印Ｙ1方向及び矢印Ｙ2方向を挿脱方向として挿脱される。ディスクカートリッジ１１０は、記録再生装置に装填されると、シャッタ部材１１６が移動され記録用の開口部１１５及び光ピックアップ用の開口部が開放される。そして、カートリッジ本体１１３の中央開口部よりでディスクテーブルが進入し、光磁気ディスク１１４のクランピングプレートを磁気吸着し、光磁気ディスク１１４が回転操作され、記録再生が行われる。
【０００７】
また、ディスクカートリッジ１１０と別のディスクカートリッジ１２０は、図２０に示すように、上下一対のハーフ１２１，１２２を突き合わせ結合した矩形状のカートリッジ本体１２３を有し、カートリッジ本体１２３の立ち上がり周壁に内接するように構成されるディスク収納部に再生専用の光ディスク１２４を回転可能に収納してなる。この光ディスク１２４は、中央部に光ディスク１２４を回転操作するディスクテーブルが係合するセンタ孔が形成され、このセンター孔の外周側に情報信号が記録された信号記録領域が形成される。
【０００８】
カートリッジ本体１２３の上面側の中央部には、ディスク収納部側に、ディスク収納部内に収納された光ディスク１２４をクランプするためのクランプ部材が光ディスク１２４のセンタ孔に対向するように取り付けられる。また、カートリッジ本体１２３の下面側には、光ディスク１２４を光ピックアップに臨ませると共にディスクテーブルが進入する開口部１２５が形成される。開口部１２５からは、カートリッジ本体１２３のディスク収納部に収納された光ディスク１２４のセンタ孔及び信号記録領域の一部が径方向に亘って外方に臨まされる。
【０００９】
そして、カートリッジ本体１２３には、開口部１２５を開閉するシャッタ部材１２６が取り付けられる。シャッタ部材１２６は、開口部１２５を閉塞するシャッタ部１２７と、カートリッジ本体１２３の前面１２３ａに移動可能に取り付けるための取付け部１２８とからなり、全体として略Ｌ字状に形成される。シャッタ部材１２６は、カートリッジ本体１２３の前面１２３ａに沿って移動することにより、開口部１２５を開閉する。
【００１０】
以上のようなディスクカートリッジ１２０は、シャッタ部材１２６が取り付けられる前面１２３ａを挿入端として、記録再生装置に対する挿脱が行われる。すなわち、ディスクカートリッジ１２０は、図２０中矢印Ｙ3方向及び矢印Ｙ4方向を挿脱方向として挿脱される。ディスクカートリッジ１２０は、記録再生装置に装填されると、シャッタ部材１２６が移動され開口部１２５が開放される。そして、光ディスク１２４は、センタ孔にディスクテーブルが係合されると共にディスクテーブルがプランプ部材を磁気吸引することにより狭持され回転操作され、光ピックアップにより情報信号の読み出しが行われる。
【００１１】
【発明が解決しようとする課題】
ところで、ディスクカートリッジ１１０，１２０では、光磁気ディスク１１４、光ディスク１２４を保護する必要があることから、光磁気ディスク１１４、光ディスク１２４全体をカートリッジ本体１１３，１２３に収納する必要がある。一方で、ディスクカートリッジ１１０，１２０は、光磁気ディスク１１４、光ディスク１２４がカートリッジ本体１１３，１２３の立ち上がり周壁に内接する程度の大きさにまでしか小型化を図ることができない。したがって、カートリッジ本体１１３，１２３には、四隅に光磁気ディスク１１４，光ディスク１２４が収納されない不要な空間部１３１が設けられることになる。このため、ディスクカートリッジ１１０，１２０では、空間部１３１があるにも拘わらず、更なる小型化を図ることができず、可搬性の向上及びディスクカートリッジ１１０，１２０の記録及び／又は再生装置の更なる小型化を図ることが困難である。
【００１２】
また、ディスクカートリッジ１１０，１２０は、共に矩形状のカートリッジ本体１１３，１２３を有し、外観が極めて類似したものであるにも拘わらず、カートリッジ本体１１３，１２３に収納されるディスクは、例えば記録再生の方式が異なる光磁気ディスク１１４と光ディスク１２４とであるように種類を異にするものである。このため、利用者は、ディスクカートリッジ１１０，１２０の外観を見ただけでは、ディスクカートリッジの種類を判別することが困難であり、誤って異なるディスクカートリッジの記録及び／又は再生装置に装填してしまうことがあり、ディスクカートリッジや記録再生装置の故障の原因ともなる。
【００１３】
さらに、ディスクカートリッジ１１０，１２０は、カートリッジ本体１１３，１２３が矩形状であり、外観が極めて類似しているにも拘わらず、ディスクカートリッジ１１０は、記録再生装置への挿入端を、シャッタ部材１１６が組み付けられる側面１１３ｂとし、ディスクカートリッジ１２０は、記録再生装置への挿入端を、シャッタ部材１２６が組み付けられる前面１２３ａとしている。このため、利用者は、ディスクカートリッジ１１０，１２０の種類を誤り、ディスクカートリッジの挿入端を誤り記録再生装置に装填してしてしまうことがあり、ディスクカートリッジや記録再生装置の故障の原因ともなる。
【００１４】
そこで、本発明は、従来の矩形状のカートリッジ本体を有するディスクカートリッジと形状を異にさせ種類の判別を容易に行うことができる新規なディスクカートリッジ及びこのディスクカートリッジのディスクドライブ装置を提供することを目的とする。
【００１５】
【課題を解決するための手段】
本発明に係るディスクカートリッジは、上述のような課題を解決すべく、ディスクが回転可能に収納されるカートリッジ本体のディスクドライブ装置の挿入端となる一側面を略円弧状に形成することで、小型化及び矩形状のディスクカートリッジとの差別化を図ると共にディスクドライブ装置への挿入端を誤ってディスクドライブ装置に装填することを防止する。このカートリッジ本体には、略円弧状に形成された一側面に、ディスクの少なくとも一部を内外周に亘って外方に臨ませるカートリッジ本体のディスク面が対向する少なくとも一方の主面に設けられた開口部を閉塞するシャッタ部材が移動可能に取り付けられる。
【００１６】
また、シャッタ部材は、カートリッジ本体の一側面側に取り付けられた付勢部材により、開口部を閉塞する方向に付勢される。この付勢部材は、カートリッジ本体の一側面に設けられる収納部に収納される。この収納部は、収納部を構成する外周側の収納壁が内周側の収納壁より低く立設されることで、付勢部材を取付け収納しやすくする。
【００１７】
また、シャッタ部材が開口部を閉塞する位置にほぼ対応してシャッタ部材の移動をガイドする第１のガイド機構が設けられ、シャッタ部材が開口部を開放する位置にほぼ対応してシャッタ部材の移動をガイドする第２のガイド機構が設けられることで、円弧状の一側面側に取り付けられるシャッタ部材を確実にガイドする。
【００１８】
また、シャッタ部材には、シャッタ部材が開口部を閉塞した位置にロックするシャッタロック機構が設けられる。シャッタロック機構は、シャッタ部材に配設される板バネ状のシャッタロック部材を有する。シャッタロック部材は、一端にカートリッジ本体の一側面に設けられる凹部に係合されるロック部を有すると共に、一部がシャッタ部材に設けられた切欠部より外方に臨まされる。ディスクカートリッジがディスクドライブ装置に進入すると、シャッタ開放ピンが切欠部より進入し、シャッタロック部材を変位させ、ロック部が凹部に係合した状態を解除させ、シャッタ部材を移動可能な状態にする。
【００１９】
また、本発明に係るディスクドライブ装置は、上述のような課題を解決すべく、ディスクを回転操作するディスク回転操作機構と、ディスク回転操作機構により回転操作されるディスクに対し情報信号の記録及び／又は再生を行う記録及び／又は再生部と、装置本体への挿入端となる略円弧状に形成されたカートリッジ本体の一側面側に、ディスクのディスク面の少なくとも一部を内外周に亘って外方に臨ませるカートリッジ本体の少なくとも一方のディスク面と対向する主面に設けられた開口部を開閉するシャッタ部材が取り付けられるディスクカートリッジが装着され、記録及び／又は再生部までディスクカートリッジを移動操作する装着部と、装着部に装着されたディスクカートリッジのシャッタ部材の移動操作をするシャッタ開放機構とを備える。そして、装着部には、シャッタ部材の開閉動作をガイドするガイド部が設けられる。このディスクドライブ装置は、カートリッジ本体の一側面が略円弧状に形成されたディスクカートリッジを記録媒体として用いることで、装置全体の小型化が図られる。
【００２０】
シャッタ開放機構は、シャッタ部材に設けられた切欠部に係合されるシャッタ開放ピンが設けられる回動アームを有し、装着部によりディスクカートリッジが記録及び／又は再生部へ移動操作されるに従って回動アームがシャッタ部材を開口部を開放する方向に移動させる方向に回動される。また、このディスクドライブ装置に用いるディスクカートリッジは、カートリッジ本体の一側面に設けられた凹部に選択的に係合されるロック部が一端に設けられる板バネ状のシャッタロック部材が、シャッタ部材に設けられる切欠部より一部が外方に臨まされ変位された状態でシャッタ部材に設けられた収納部に収納されるシャッタロック機構を有する。そして、シャッタ開放ピンは、切欠部より進入し、シャッタロック部材を押圧し変位させ、ロック部が凹部に係合した状態を解除させる。
【００２１】
【発明の実施の形態】
以下、本発明が適用されたディスクカートリッジ及びこのディスクカートリッジに用いられるディスクドライブ装置について、図面を参照して説明する。
【００２２】
このディスクカートリッジ１は、図１及び図２に示すように、カートリッジ本体４の上下一対のハーフ２，３を突き合わせ、周縁部を複数のビス５５によって結合したカートリッジ本体４を備え、このカートリッジ本体４に情報信号が記録されるディスク５が収納されてなる。カートリッジ本体４は、ディスク５に情報信号の記録を行い、また、ディスク５に記録された情報信号の再生を行うディスクドライブ装置に対するカートリッジ本体４の挿入端となる前面４ａがディスク５と略同じ略円弧状に形成される。カートリッジ本体４の下面には、中央部から前面４ａ側に亘ってこのディスクカートリッジ１が装着されるディスクドライブ装置内に配置されるディスク回転操作機構のディスクテーブル及びディスク回転駆動機構によって回転操作されるディスク５に対し所定の情報信号の記録及び／又は再生を行う光ピックアップ等の記録再生部が臨む記録及び／又は再生用の開口部６が開設される。開口部６は、カートリッジ本体４の前面４ａに摺動自在に取り付けられたシャッタ部材７により閉塞される。
【００２３】
カートリッジ本体４の上面を構成する構成する上ハーフ２とカートリッジ本体４の底面を構成する下ハーフ３とは、成形性が良好で十分な機械的強度を有する合成樹脂、例えばポリカーボネイト樹脂により形成されてなる。上ハーフ２と下ハーフ３とは、ディスクドライブ装置への挿入端となる前面４ａがディスク５の外形とほぼ同じ円弧状に形成される。下ハーフ３の周縁には、突き合わせ結合されることにより、カートリッジ本体４の周側壁を構成する立上がり壁８が形成される。上ハーフ２と下ハーフ３とは、図３に示すように、互いに突き合わせ結合されたカートリッジ本体４を構成したとき、その内部にディスク５を回転可能に収納するディスク収納部９を構成する。ディスク収納部９は、下ハーフ３の立上がり壁８に内接するように設けられる複数の円弧状のディスク収納壁１１により構成される。ディスク収納部９は、ここに収納されたディスク５の水平方向の収納位置を規制する。上ハーフ２の内面側中央部には、ディスク５の収納位置を規制する環状の凹部１０が設けられる。
【００２４】
ディスク収納部９に収納されるディスク５は、図３に示すように、情報信号の記録可能な磁気ディスク、光磁気ディスク、相変化型光ディスクや再生専用の光ディスクである。ディスク５は、図４に示すように、中央部にディスク回転操作機構のディスクテーブルが進入するセンタ孔５ａが形成され、センタ孔５ａを閉塞するようにディスクテーブルにクランプされる金属製のクランピングプレート１２が取り付けられる。ディスク５は、図３に示すように、ディスク面にクランピングプレート１２の外周側に情報信号が記録される信号記録領域５ｂが形成される。クランピングプレート１２は、上ハーフ２に設けられた凹部１０に遊嵌され、ディスク収納部９内での収納位置が規制される。なお、ディスク５には、楽音信号、映像信号、コンピュータで処理される情報データ等の情報信号が記録される。
【００２５】
カートリッジ本体４の一方の主面となる底面側に設けられる記録及び／又は再生用の開口部６は、図３に示すように、下ハーフ３の中央部からカートリッジ本体４の前面４ａに亘って略長方形状に形成され、カートリッジ本体４に収納されたディスク５の外周端部付近から中心部に取り付けられたクランピングプレート１２に亘る部分をカートリッジ本体４の外方に臨ませるように形成される。ディスク５の信号記録領域５ｂは、開口部６より情報信号の記録及び／又は再生を行う光ピックアップに臨まされ、光ピックアップより出射された光ビームが信号記録領域５ｂの内外周に亘って走査される。また、開口部６は、ディスク回転操作機構のディスクテーブルを進入させ、ディスク５をディスクテーブルに支持可能とさせる。なお、記録及び／又は再生用の開口部６は、カートリッジ本体４の中央部に位置する円形のディスクテーブル進入用開口部６ａと、開口部６ａに連続してカートリッジ本体４の前面側に亘って形成された光ピックアップが臨む記録及び／又は再生用開口部６ｂとから構成される。
【００２６】
また、カートリッジ本体４の底面を構成する下ハーフ３の前面側には、図２に示すように、シャッタ部材７がカートリッジ本体４の前面４ａに沿って移動可能に取り付けられるシャッタ部材７が移動する凹状のシャッタ部材移動部１３が形成される。シャッタ部材移動部１３は、シャッタ部材３５の移動範囲に亘って形成され、下ハーフ３の中央部から一側面に亘って形成される。
【００２７】
カートリッジ本体４の前面４ａに取り付けられるシャッタ部材７は、図３に示すように、薄い金属板をプレス加工して形成されてなる。シャッタ部材７は、開口部６を閉塞する矩形状のシャッタ部１４と、シャッタ部１４の基端部側に設けられるカートリッジ本体４の前面４ａとを連結する連結部１５とからなり、全体として略Ｌ字状に形成される。シャッタ部１４は、図４に示すように、先端部に、突片１６が設けられ、突片１６がシャッタ移動部１３に設けられる凹状のシャッタ抑え部１７に係合され、浮き上がりが防止される。また、連結部１５は、カートリッジ本体２０の前面の厚さに略等しい高さを有するように形成される。シャッタ部材７は、開口部６をディスクドライブ装置に装填される使用時に限って開放され、ディスクドライブ装置に装填されない非使用時に、カートリッジ本体４内に塵埃等の異物が侵入することを防止し、さらにディスク５の信号記録領域５ｂに手指が触れることを防止し、少なくとも信号記録領域５ｂに塵埃や指紋が付着することによって生ずる情報信号の記録再生エラーを防止する。
【００２８】
シャッタ部材７の移動動作をガイドする第１のガイド機構２１は、図３及び図４に示すように、上ハーフ２の前面側中央の内面側に突出して設けられるガイド突部２２がシャッタ部材７の連結部１５の上面側コーナ部に切り欠かれてなるガイド用切欠部２３に係合されてなる。ガイド突部２２は、開口部６の短辺方向の長さと略同じ長さに形成される。このような第１のガイド機構２１は、シャッタ部材７が開口部６を閉塞している状態から開口部６を開放する図２中矢印Ｘ1方向へ移動される際のシャッタ部材７のガイドを行う。
【００２９】
シャッタ部材７の移動動作をガイドする第２のガイド機構２４は、図３及び図５に示すように、シャッタ部１４の内面側に、シャッタ部材７の移動方向と平行に設けられたガイドレール２５がカートリッジ本体４のシャッタ移動部１３にシャッタ部材７の移動方向と平行に設けられたガイド凹部２６に係合されてなる。このような第２のガイド機構２４は、開口部６を開放するためシャッタ部１４がシャッタ移動部１３にまで移動されたときのシャッタ部材７の移動動作をガイドする。すなわち、シャッタ部材７は、開口部６を開放する場合、先ず、第１のガイド機構２１によりガイドされ、次に、第２のガイド機構２４によりガイドされる。
【００３０】
また、シャッタ部材７の移動動作をガイドする第３のガイド機構２７は、図３及び図４に示すように、シャッタ部材７の連結部１５に設けられた係合突部２８がカートリッジ本体４を構成する下ハーフ３の前面側に設けられたガイド溝２９に係合されてなる。係合突部２８は、開口部６を閉塞する図３中矢印Ｘ1方向の端部側に下ハーフ３側に突出して設けられる。また、係合突部２８には、シャッタ部材７を開口部６を閉塞する図３中矢印Ｘ1方向に付勢する弾性体３１の一端が係止される係止部２８ａが設けられる。ガイド溝２９は、シャッタ部材７の移動距離に対応して下ハーフ３の前面側略中央に直線上に設けられる係合突部２８が係合されるガイド部３１と、ガイド部３１と連続して円弧状に設けられるシャッタ部材７を開口部６を閉塞する方向に付勢する弾性体３２を収納する弾性体収納部３３とからなる。弾性体収納部３３には、弾性体３２の他端が係止される係止部３３ａが設けられる。弾性体３２は、コイルバネ等からなり、一端がシャッタ部材７の係止部２８ａに係止され、他端が弾性体収納部３３の係止部３３ａに係止されて弾性体収納部３３に収納され、シャッタ部材７を開口部６を閉塞する図３中矢印Ｘ1方向に付勢する。
【００３１】
シャッタ部材７は、図６に示すように、ディスクドライブ装置に装填されない非使用時において、弾性体３２により図６中矢印Ｘ1方向に移動され、開口部６を閉塞した状態にある。このとき、弾性体３２は、収縮していることから弾性体収納部３３に収納された状態にある。シャッタ部材７は、図７に示すように、ディスクドライブ装置に装填されると、ディスクドライブ装置側のシャッタ開放機構により弾性体３２の弾性力に抗して図７中矢印Ｘ2方向に移動される。このとき、弾性体３２は、シャッタ部材７が図７中矢印Ｘ2方向に移動されることに伴いガイド部３１まで伸張される。
【００３２】
なお、弾性体収納部３３は、図８に示すように、弾性体収納部３３を構成するカートリッジ本体４の内方側の収納壁３４がカートリッジ本体４の外方側の収納壁３５より高く立設される。これにより、弾性体３３は、両端部を係止部２８ａ，３３ａに係止させて弾性体収納部３３に容易に収納することができる。
【００３３】
シャッタ部材７には、図９乃至図１１に示すように、シャッタ部材７が開口部６を閉塞した状態にロックするシャッタロック機構４１を備える。シャッタロック機構４１は、図９に示すように、ディスクドライブ装置側のシャッタ開放機構を構成するシャッタ開放ピン８８により押圧される板バネ状のシャッタロック部材４２と、シャッタロック部材４２を収納する収納部４３とを有する。シャッタロック部材４２は、長尺状の薄い金属板よりなり、一端に略コ字状に折曲されたロック部４４が設けられる。このロック部４４は、図１０に示すように、選択的にカートリッジ本体４の前面４ａに設けられた凹部４５に係合される。また、シャッタロック部材４２は、図９に示すように、長手方向の両側縁の中途部に、シャッタロック部材４２がシャッタ部材７をロックした状態に保持するための突起４６，４６が設けられる。
【００３４】
収納部４３は、連結部１５の前面に設けられる一対の円弧状の舌片４３ａ，４３ｂと、舌片４３ａ，４３ｂとを接続する前面壁４３ｃとよりなり、円弧状の空間部として構成される。収納部４３には、前面壁４３ｃ側の略中央に、収納部４３に収納されたシャッタロック部材４２の一部を外方に臨ませる切欠部４７が設けられる。切欠部４７からは、ディスクドライブ装置のシャッタ開放機構のシャッタ開放ピン８８が進入し、シャッタロック部材４２を変位させる。また、舌片４３ａ，４３ｂには、突起４６，４６が係合される凹状の係合部４８，４８が設けられる。また、収納部４３を構成する前面壁４３ｃと対向する後面壁４３ｄには、ロック部４４を凹部４５に臨ませるための切欠き凹部４９が設けられる。
【００３５】
このような収納部４３には、図１０に示すように、シャッタロック部材４２が前面壁４３ｃの図１０中矢印Ｘ3方向に変位した状態で収納される。このとき、ロック部４４は、カートリッジ本体４の凹部４５に係合され、突起４６，４６が係合部４８，４８に係合され、シャッタ部１４が開口部６を閉塞した状態にする。そして、ディスクカートリッジ１がディスクドライブ装置に装填されると、図１１に示すように、シャッタ開放機構のシャッタ開放ピン８８が切欠部４７に進入し、シャッタロック部材４２を収納部４３の後面壁４３ｄの図１１中矢印Ｘ4方向に変位させる。すると、ロック部４４は、カートリッジ本体４の凹部４５と係合した状態が解除され、突起４６，４６が係合部４８，４８と係合した状態が解除される。
【００３６】
なお、カートリッジ本体４には、図１に示すように、前面４ａ側にディスクドライブ装置への挿入方向を示す表示部５１が設けられる。この表示部５１は、例えばパッド印刷法により印刷される矢印により構成される。またカートリッジ本体４の主面及び前面４ａに対向する背面には、ディスク５に記録された情報信号に関連する内容を記すためのラベル５２が貼り付けられる。また、カートリッジ本体４の底面には、図２に示すように、ディスクドライブ装置に装填された際装填位置を規制する位置決め孔５６ａ，５６ｂが設けられる。さらに、カートリッジ本体４は、次のように組み立てられる。すなわち、図２及び図３に示すように、上ハーフ２には、その内面の周縁部に複数のネジ止め部５３が設けられ、下ハーフ３には、上ハーフ２のネジ止め部５３に対応してネジ孔５４が設けられる。そして、カートリッジ本体４は、下ハーフ３にシャッタ部材７を組み付けた後、上ハーフ２を組み合わせ、ビス５５をネジ孔５４に挿通させ、ネジ止め部５３に螺合させることにより組み立てられる。
【００３７】
以上のようなディスクカートリッジ１は、ディスクドライブ装置に装填されない非使用時には、シャッタ部材７が開口部６を閉塞した状態にある。すなわち、シャッタ部材７は、図６及び図１２に示すように、弾性体３２により図６中矢印Ｘ1方向に移動され、開口部６を閉塞した状態にある。このとき、シャッタ部材７は、シャッタロック機構４１により開口部６を閉塞した状態が保持されている。すなわち、シャッタロック機構４１は、図１０に示すように、ロック部４４がカートリッジ本体４の凹部４５に係合され、突起４６，４６が係合部４８，４８に係合され、シャッタ部１４が開口部６を閉塞した状態にしている。
【００３８】
また、このとき、シャッタ部材７は、第１のガイド機構２１と第３のガイド機構２７とによりガイドされた状態にある。第３のガイド機構２７は、図１２に示すように、開口部６を閉塞した状態において、弾性体３２に図１２中矢印Ｘ1方向に引っ張られて係合突部２８がガイド部３１の図１２中右方向に位置し、第１のガイド機構は、ガイド突部２２がガイド用切欠部２３に係合された状態にある。これにより、第３のガイド機構２７と第１のガイド機構２１は、第３のガイド機構２８がシャッタ部材７の図１２中右側をガイドし、第１のガイド機構２１がシャッタ部材７の中央をガイドすることにより、確実にシャッタ部材７をガイドしている。
【００３９】
そして、ディスクカートリッジ１は、ディスクドライブ装置に装填されると次のように動作する。すなわち、ディスクカートリッジ１は、ディスクドライブ装置に装填されると、ディスクカートリッジ１が装着される装着部に装着される。このとき、図１１に示すように、シャッタ部材７の切欠部４７には、ディスクドライブ装置側のシャッタ部材７を移動操作するシャッタ開放機構を構成する回動アームの先端部に設けられたシャッタ開放ピン８８が進入し、シャッタ開放ピン８８がシャッタロック部材４２を収納部４３の後面壁４３ｄの図１１中矢印Ｘ4方向に変位させる。すると、ロック部４４は、カートリッジ本体４の凹部４５と係合した状態が解除され、突起４６，４６が係合部４８，４８と係合した状態が解除され、シャッタ部材７を開口部６を開放する図６中矢印Ｘ1方向に移動可能な状態にされる。この状態から、さらにディスクカートリッジ１がディスクドライブ装置内に押圧されると、シャッタ開放ピン８８が切欠部４７に係合されたシャッタ部材７は、シャッタ開放機構の回動アームが一方向に回動することにより、図６中矢印Ｘ1方向に移動操作され、開口部６を開放し、図７に示す状態にする。
【００４０】
このとき、図１３に示すように、シャッタ部材７は、図１３に示すように、第２のガイド機構２４と第３のガイド機構２７とにガイドされる。すなわち、シャッタ部材７が開口部６を開放する図１２及び図１３中矢印Ｘ2方向に移動されると、第３のガイド機構２７の係合突部２８は、弾性体３２の弾性力に抗してガイド部３１の図１２中左方向に位置される。また、シャッタ部材７は、図１２中及び図１３中矢印Ｘ2方向に移動されるとき、第２のガイド機構２４によりガイドされる。すなわち、シャッタ部材７は、開口部６を開放する場合、先ず、第１のガイド機構２１によりガイドされ、次に、第２のガイド機構２４によりガイドされる。
【００４１】
そして、ディスクカートリッジ１は、ディスクドライブ装置の装着部に装着され、ディスク５の記録再生を行う記録再生部まで移動される。ここで、ディスクテーブル進入用開口部６ａよりディスク５を回転操作するディスク回転操作機構のディスクテーブルがカートリッジ本体４内に進入し、ディスク５のクランピングプレート１２を磁気吸着して、ディスク５を回転操作する。これと共に、記録再生部を構成する光ピックアップがディスク５の内外周に亘って操作され、情報信号の記録再生を行う。
【００４２】
以上のようなディスクカートリッジ１は、カートリッジ本体４の前面４ａが円弧状に形成され、従来の全体が矩形状のディスクカートリッジと形状が大きく異なることから、従来のディスクカートリッジと容易に識別することができる。したがって、ディスクカートリッジ１は、利用者が誤って記録再生方式の異なるディスクドライブ装置に装填してしまうことを防止することができる。また、ディスクカートリッジ１は、カートリッジ本体４の前面４ａが円弧状に形成されることから、前面４ａ側コーナ部に無駄な空間部をなくすことができ、従来の矩形状のディスクカートリッジに比べ小型化が図られる。さらに、ディスクカートリッジ１は、ディスクドライブ装置への挿入端が円弧状の前面４ａである。したがって、利用者は、容易にディスクカートリッジ１のディスク動ライブ装置への挿入方向を認識することができ、挿入方向を誤ることを防止できる。さらに、ディスクカートリッジ１は、第１のガイド機構２１と第２のガイド機構２４が設けられることから、シャッタ部材７の移動動作のガイドを確実に行うことができる。
【００４３】
次に、以上のようなディスクカートリッジ１のディスクドライブ装置６１について、図面を参照して説明する。このディスクドライブ装置６１は、図１４に示すように、装置本体を構成する筐体６２を備え、筐体６２の内部にディスクカートリッジ１が装着される装着部と、ディスク５に対し情報信号の記録再生を行う記録再生部が設けられる。筐体６２の前面側には、ディスクドライブ装置６１に装着されるディスクカートリッジ１の挿脱を行うための挿脱口６３が設けられる。また、挿脱口６３の近傍には、装置本体内に装着されたディスクカートリッジ１を取り出すための押し釦等からなるイジェクト操作釦６４が配設される。
【００４４】
筐体６２内には、ディスクカートリッジ１が装着されるディスクカートリッジ１の挿脱方向の図１５中矢印Ｘ5及び矢印Ｘ6方向に移動可能に取り付けられる移動操作板６５が配設される。移動操作板６５は、ディスクカートリッジ１の主面と略同じ面積を有し、主面にディスクカートリッジの装着部６６が構成される。装着部６６の筐体６２の挿脱口６３と対向する側には、カートリッジ本体４の前面４ａが突き当てられるディスクカートリッジ１の装着位置を規制する規制部６７，６８が設けられる。一方の規制部６７は、カートリッジ本体４のシャッタ部材７の移動する方向と反対側の前面４ａが突き当てられる。一方の規制部６７は、カートリッジ本体４の厚さと略同じ厚さに形成され、カートリッジ本体４のシャッタ部材７の移動する方向と反対側の前面４ａと略同じ曲率に形成される。他方の規制部６８は、カートリッジ本体４のシャッタ部材７の移動する方向の前面４ａが突き当てられる。他方の規制部６８は、カートリッジ本体４の厚さと略同じ厚さに形成され、カートリッジ本体４のシャッタ部材７の移動する方向の前面４ａと略同じ曲率に形成される。また、他方の規制部６８には、シャッタ部材７の移動をガイドするコ字状のガイド部６９が設けられる。ガイド部６９には、カートリッジ本体４の前面４ａが規制部６７，６８に突き当てられ、シャッタ部材７が移動操作するシャッタ開放機構により移動操作されるとシャッタ部材７が進入される。
【００４５】
また、装着部６６が構成される移動操作板６５は、装着部ガイド機構７１によりディスクカートリッジ１の挿脱方向に移動される。装着部ガイド機構７１は、図１５に示すように、一対のガイド軸７３，７３により支持され移動がガイドされる。ガイド軸７３，７３には、コイルバネ７４，７４が取り付けられる。コイルバネ７４，７４は、移動操作板６５を筐体６２の挿脱口６３の図１５中矢印Ｘ6方向に付勢する。移動操作板６５は、ディスクカートリッジ１が装着されると、コイルバネ７４，７４の弾性力に抗して、図１５中矢印Ｘ5方向にガイド軸７３，７３にガイドされて移動される。また、移動操作板６５は、ディスクカートリッジ１が装置本体から取り出されるとき、弾性体７４，７４の弾性力により図１５中矢印Ｘ6にガイド軸７３，７３にガイドされて移動される。また、装着部６６には、移動操作板６５の中央部に記録再生部が臨まされる矩形状の開口部７５が設けられる。移動操作板６５は、ディスクカートリッジ１が装着部６６に装着され、図１５中矢印Ｘ5方向に移動されると、開口部７５より記録再生部が臨まされる。
【００４６】
開口部７５より装着部６５に臨まされる記録再生部７６は、図１５に示すように、ベース７７にディスク５を回転操作するディスク回転操作機構７８と、情報信号の記録再生を行う光ピックアップ７９とが組み込まれる。
【００４７】
ディスク回転操作機構７８は、ディスク５が装着されるディスクテーブル８１と、このディスクテーブル８１を回転駆動する駆動モータ８２とを備える。駆動モータ８２は、その駆動軸をディスク５が装着される上面側に突出させてベース７７の下面側に取り付けられ、この駆動軸の先端にディスク５が装着されるディスクテーブル８１が取り付けられる。このディスクテーブル８１は、略円盤状に形成され、上面の中央部分に円錐台形状のセンタリング部８１ａが設けられる。また、このディスクテーブル８１には、クランピングプレート１３を磁気吸引するマグネットが配設される。そして、ディスク５は、ディスクテーブル８１上に装着されて、ディスクテーブル８１と一体に駆動モータ８２によって回転操作される。
【００４８】
光ピックアップ７９は、ベース７７に設けられた開口部８３よりベース７７の上面側に臨まされる。この光ピックアップ７９は、ベース７７に支持されたガイド軸に支持され、このガイド軸にガイドされてピックアップ送り機構によってディスクテーブル８１上に装着されたディスク５の径方向に移動操作される。この光ピックアップ７９は、光学ブロック内に収納した半導体レーザ等の光源から出射された光ビームを対物レンズ８４を介してディスクテーブル８１上のディスク５の信号記録領域５ｂに照射すると共にディスク５から反射された戻り光を光学ブロック内に収納された光検出器により検出することにより、ディスク５に記録された情報信号の読み出しを行う。
【００４９】
さらに、筐体６２内には、図１５に示すように、シャッタ部材７を移動操作するシャッタ開放機構８５が配設される。シャッタ開放機構８５は、ディスクカートリッジ１が装置本体に装填された際に、カートリッジ本体４の前面４ａと対向する位置に設けられる。シャッタ開放機構８５は、基台８６に回動可能に支持される回動アーム８７の先端部にシャッタ開放ピン８８が設けられてなる。回動アーム８７は、基台８６に植立された支軸８６ａを支点として図１５中矢印Ｘ7方向及び矢印Ｘ8方向に支持される。また、回動アーム８７は、トーションバネ等の弾性体により図１５中矢印Ｘ8方向に付勢される。
【００５０】
このようなシャッタ開放機構８５は、ディスクカートリッジ１が装着部６６に装着されると、シャッタ開放ピン８８がディスクカートリッジ１を構成するシャッタ部材７の切欠部４７に係合される。そして、移動操作板６５が図１５中矢印Ｘ5方向に移動されると、回動アーム８７は、ディスクカートリッジ１に押圧され、図１５中矢印Ｘ7方向に回動され、シャッタ部材を開口部６を開放する方向に移動させる。また、ディスクカートリッジ１を装置本体より排出する場合、回動アーム８７は、移動操作板６５が図１５中矢印Ｘ6方向に移動されるに従い、弾性体の弾性力により図１５中矢印Ｘ8方向に回動され、シャッタ部材７を開口部６を閉塞する方向に移動させる。
【００５１】
以上のようなディスクドライブ装置６１は、図１４に示すように、ディスクカートリッジ１が挿脱口６３より挿入される。すると、ディスクカートリッジ１は、図１６に示すように、筐体６２内の装着部６６に装着され、カートリッジ本体４の前面４ａが規制部６７，６８に突き当てられる。このとき、シャッタ開放ピン８８は、シャッタ部材７の前面に設けられる切欠部４７に係合される。そして、シャッタ開放ピン８８は、上述した図１０に示すように、シャッタロック機構４１を構成するシャッタロック部材４２を図１０中矢印Ｘ4方向に押圧し、ロック部４５が凹部４５に係合した状態を解除させ、シャッタ部材７が開口部６を開放する図１６中矢印Ｘ1方向に移動可能な状態にさせる。
【００５２】
さらに、ディスクカートリッジ１は、図１６中矢印Ｘ5方向に押圧されると、移動操作板６５と共に開口部７５が記録再生部７６と対向する位置まで移動される。このとき、回動アーム８７は、ディスクカートリッジ１に押圧され、図１６中矢印Ｘ7方向に回動され、シャッタ部材７を図１６中矢印Ｘ1方向に移動させ、開口部６を開放させる。このとき、シャッタ部材７は、ガイド部６９にガイドされながら移動される。そして、シャッタ部材７のカートリッジ本体４より突出した部分は、ガイド部６９に進入し待避される。ここで、カートリッジ本体４のディスクテーブル進入用開口部６ａには、ディスクテーブル８１が進入する。そして、ディスクテーブル８１は、ディスク５に取り付けられたクランピングプレート１３を磁気吸引し、ディスク５と一体にディスク５を回転操作する。また、光ピックアップ７９は、記録再生用開口部６ｂより臨まされるディスク５の信号記録領域５ｂの内外周に亘って光ビームを走査し、情報信号の記録再生を行う。
【００５３】
また、ディスクカートリッジ１をディスクドライブ装置６１より取り出す場合、ディスクドライブ装置６１からは、イジェクト操作釦６４が押されると、次のようにディスクカートリッジ１が取り出される。移動操作板６５がコイルバネ７４，７４の弾性力により図１６中矢印Ｘ6方向に移動されると、回動アーム８７は、図１６中矢印Ｘ8方向に回動され、シャッタ部材７を開口部６を閉塞する図１６中矢印Ｘ2方向にスライドさせる。これにより、ディスクカートリッジ１は、ディスクドライブ装置６１より取り出されるとき、開口部６がシャッタ部材７により閉塞され、カートリッジ本体４内に塵埃等の異物が進入することが防止される。
【００５４】
以上のようなディスクドライブ装置６１は、カートリッジ本体４の前面４ａが円弧状に形成され小型化されたディスクカートリッジ１を記録媒体として用いることで、装着部６６を小型化にすることができ、装置全体の小型化が図られる。また、ディスクドライブ装置６１は、装着部６６にカートリッジ本体４の前面４ａが円弧状のディスクカートリッジ１の記録再生を行うことができる。このとき、開口部６を開放する方向に移動されたシャッタ部材７は、カートリッジ本体より突出することになるが、ガイド部６９にガイドされ円滑に開口部６を開放する方向に移動することができる。
【００５５】
次に、本発明が適用されたディスクカートリッジ９１について、図１７及び図１８を参照して説明する。このディスクカートリッジ９１は、カートリッジ本体９２の上下面に記録及び／又は再生用の開口部が設けられたことを特徴とする。なお、上述したディスクカートリッジ１と同一の部材には、同一の符号を付してその詳細を省略する。
【００５６】
このディスクカートリッジ９１は、ディスクドライブ装置６１への挿入端となる一側面９２ａが円弧状に形成されたカートリッジ本体９２に両面に信号記録領域９３ａが設けられたディスク９３が回転可能に収納され、カートリッジ本体９２の主面となる上下面に記録及び／又は再生用の開口部９４，９５が設けられる。これら開口部９４，９５は、カートリッジ本体９２の上下面の中央部から前面９２ａ側に亘って形成され、ディスクドライブ装置６１内に配置されるディスク回転操作機構７８のディスクテーブル８１が進入すると共に、ディスク９３が光ピックアップ７９に臨まされる。開口部９４，９５は、カートリッジ本体９２の中央部に位置する円形をなすディスクテーブル進入用開口部９４ａ，９５ａと、開口部９４ａ，９５ａに連続してカートリッジ本体９２の前面側に亘って形成された光ピックアップ７９が臨む記録及び／又は再生用開口部９４ｂ，９５ｂとから構成される。開口部９４，９５は、カートリッジ本体９２の前面側に摺動可能に取り付けられたシャッタ部材９６により閉塞される。
【００５７】
カートリッジ本体９２の前面側には、シャッタ部材９６がカートリッジ本体９２の前面９２ａに沿って移動可能に取り付けられるシャッタ部材９６が移動する凹状のシャッタ移動部９７が設けられる。シャッタ移動部９７は、シャッタ部材９６の移動範囲に亘って形成され、前面側の略全体に設けられる。シャッタ移動部９７に取り付けられるシャッタ部材９６は、開口部９４を閉塞するシャッタ部９６ａと、開口部９５を閉塞するシャッタ部９６ｂと、シャッタ部９６ａとシャッタ部９６ｂとを連結する連結部９６ｃとを備え、全体として略コ字状に形成される。シャッタ部材９６は、ディスクカートリッジ９１のディスクドライブ装置６１への挿入方向と直交する図１７及び図１８中矢印Ｘ9方向及び矢印Ｘ10方向に移動可能に取り付けられる。
【００５８】
シャッタ部材９６は、ディスクドライブ装置６１に装填されない非使用時に、開口部９４，９５を閉塞するシャッタ移動部９７の中央部に位置する。そして、シャッタ部材９６は、ディスクドライブ装置６１へ装填される使用時に、ディスクドライブ装置６１のシャッタ開放機構８５によりディスクカートリッジ９１のディスクドライブ装置６１への挿入方向と直交する図１７及び図１８中矢印Ｘ9方向又は矢印Ｘ10方向のいずれか一方に移動される。
【００５９】
シャッタ部材９６の移動動作をガイドする第１のガイド機構９８は、カートリッジ本体９２の前面９２ａ側にシャッタ部材９６の移動方向と平行に設けられたガイド突部９９，９９がシャッタ部材９６のシャッタ部９６ａ，９６ｂの連結部９６ｃ側に設けられるガイド溝１０１，１０１が係合されてなる。ガイド突部９９，９９は、開口部９４，９５の短辺方向の長さと略同じ長さに形成される。このような第１のガイド機構９８は、シャッタ部材９６が開口部９４，９５を閉塞している状態から開口部９４，９６を開放する図１７及び図１８中矢印Ｘ9方向又は矢印Ｘ10方向の何れか一方へ移動される際のシャッタ部材９６のガイドを行う。
【００６０】
シャッタ部材９６の移動動作をガイドする第２のガイド機構１０２は、シャッタ部９６ａ，９６ｂの内面側に、シャッタ部材９６の移動方向と平行に設けられたガイドレール１０３，１０３がカートリッジ本体９２のシャッタ移動部９７にシャッタ部材９６の移動方向と平行に設けられたガイド凹部１０４，１０４に係合されてなる。このような第２のガイド機構１０２は、開口部９４，９５を開放するため図１７及び図１８中矢印Ｘ9方向又は矢印Ｘ10方向の何れか一方へ移動されたときのシャッタ部材９６の移動動作をガイドする。すなわち、シャッタ部材９６は、開口部９４，９５を開放する場合、先ず第１のガイド機構９８によりガイドされ、次に、第２のガイド機構１０２によりガイドされる。
【００６１】
以上のようなディスクカートリッジ９１は、図１６乃至図１８に示すように、情報信号の記録及び／又は再生を行うディスク５の信号記録面を下側にして、ディスクドライブ装置６１に挿脱口６３より挿入される。このとき、ディスクカートリッジ９１は、シャッタ部材９６が取り付けられたカートリッジ本体９２の前面９２ａがディスクドライブ装置６１への挿入端とされる。すると、ディスクカートリッジ９１は、シャッタ部材９６の連結部９６ｃに設けられた上述したシャッタロック機構４１の切欠部４７にシャッタ開放機構８５のシャッタ開放ピン８８が係合され、シャッタロック部材４２がシャッタ開放ピン８８により押圧されることで、シャッタ部材９６が開口部９４，９５を閉塞するようにロックした状態が解除される。
【００６２】
さらに、ディスクカートリッジ９１は、ディスクドライブ装置６１内へ押圧操作されると、シャッタ開放機構８５の回動アーム８７が図１６中矢印Ｘ7方向に回動され、シャッタ開放ピン８８が切欠部４７に係合されたシャッタ部材９６が図１７及び図１８中矢印Ｘ9又は矢印Ｘ10方向のいずれか一方に移動され、開口部９４，９５が開放される。ここで、ディスクテーブル進入用開口部９４ａ，９５ａよりディスク回転操作機構７８のディスクテーブル８１がカートリッジ本体９２内に進入し、ディスク９３のクランピングプレート１２を磁気吸着して、ディスク９３を回転操作する。これと共に、記録再生部７６を構成する光ピックアップ７９がディスク９３の内外周に亘って操作され、情報信号の記録再生を行う。
【００６３】
以上のようなディスクカートリッジ９１は、カートリッジ本体９２の前面９２ａが円弧状に形成され、全体が矩形状の従来のディスクカートリッジと形状が大きく異なることから、従来のディスクカートリッジと容易に識別することができ、また、ディスクドライブ装置６１への挿入端となる前面９２ａが円弧状に形成されることで、カートリッジ本体９２の小型化が図られ、また、ディスクドライブ装置６１への挿入方向を容易に識別することができる。さらに、ディスクカートリッジ９１は、カートリッジ本体９２の上下面に開口部９４，９５が設けられることから、両面に信号記録面が形成されたディスク９３を記録媒体に用いることができる。
【００６４】
【発明の効果】
本発明に係るディスクカートリッジによれば、ディスクが回転可能に収納されるカートリッジ本体のディスクドライブ装置への挿入端となる一側面を略円弧状に形成することで、従来の矩形状のディスクカートリッジと形状を異ならせ、他のディスクカートリッジとの識別を容易に行うことができ、また、カートリッジ本体の前面側コーナ部に無駄な空間を作ることなく小型化を図ることができ、さらに、ディスクドライブ装置への挿入端を容易に認識することができる。
【００６５】
また、本発明に係るディスクドライブ装置によれば、カートリッジ本体の一側面が円弧状に形成されたディスクカートリッジを記録媒体に用いることで、装置全体の小型化を図ることができる。また、このディスクドライブ装置は、ディスクカートリッジが装着される装着部にシャッタの開閉動作をガイドするガイド部が設けられることで、ディスクドライブ装置への挿入端が略円弧状に形成されたディスクカートリッジをシャッタ部材を確実に移動させ、ディスクに対し確実に情報信号の記録及び／又は再生を行うことができる。
【図面の簡単な説明】
【図１】本発明が適用されたディスクカートリッジを上面側から見た斜視図である。
【図２】同ディスクカートリッジを下面側から見た斜視図である。
【図３】同ディスクカートリッジの分解斜視図である。
【図４】同ディスクカートリッジの断面図である。
【図５】下ハーフとシャッタ部材とを分解した分解斜視図である。
【図６】シャッタ部材が記録及び／又は再生用の開口部を閉塞した状態を模式的に示す図である。
【図７】シャッタ部材が記録及び／又は再生用の開口部を開放した状態を模式的に示す図である。
【図８】カートリッジ本体の前面の要部断面図である。
【図９】シャッタ部材の分解斜視図である。
【図１０】シャッタロック機構がシャッタ部材をロックした状態を模式的に示す図である。
【図１１】シャッタロック機構がシャッタ部材のロックを解除した状態を模式的に示す図である。
【図１２】シャッタ部材が記録及び／又は再生用の開口部を閉塞した状態において、第１のガイド機構と第２のガイド機構と第３のガイド機構との関係を説明する図である。
【図１３】シャッタ部材が記録及び／又は再生用の開口部を開放した状態において、第１のガイド機構と第２のガイド機構と第３のガイド機構との関係を説明する図である。
【図１４】本発明が適用されたディスクドライブ装置の外観斜視図である。
【図１５】同ディスクドライブ装置の記録再生部と装着部を説明するための斜視図である。
【図１６】装着部にディスクカートリッジが装着された状態を示す斜視図である。
【図１７】本発明が適用された他のディスクカートリッジを上面側から見た斜視図である。
【図１８】同ディスクカートリッジを下面側から見た斜視図である。
【図１９】従来のディスクカートリッジを示す斜視図である。
【図２０】同ディスクカートリッジを示す斜視図である。
【符号の説明】
１  ディスクカートリッジ、４  カートリッジ本体、５  ディスク、６  開口部、７  シャッタ部材、１４  シャッタ部、１５  連結部、２１  第１のガイド機構、２２  ガイド突部、２３  ガイド用切欠部、２４  第２のガイド機構、２５ガイドレール、２６  ガイド凹部、２７  第３のガイド機構、２８  係合突部、２９  ガイド溝、３１  ガイド部、３２  弾性体、３３  弾性体収納部、３４，３５  収納壁、４１  シャッタロック機構、４２  シャッタロック部材、４３収納部、４４  ロック部、４５  凹部、４７  切欠部、６１  ディスクドライブ装置、６６  装着部、６７，６８  規制部、６９  ガイド部、７８  ディスク回転操作機構、７９  光ピックアップ、８１  ディスクテーブル、８５  シャッタ開放機構、８７  回動アーム、８８  シャッタ開放ピン、９１  ディスクカートリッジ
【図１】
0003900685.tif 000002
【図２】
0003900685.tif 000003
【図３】
0003900685.tif 000004
【図４】
0003900685.tif 000005
【図５】
0003900685.tif 000006
【図６】
0003900685.tif 000007
【図７】
0003900685.tif 000008
【図８】
0003900685.tif 000009
【図９】
0003900685.tif 000010
【図１０】
0003900685.tif 000011
【図１１】
0003900685.tif 000012
【図１２】
0003900685.tif 000013
【図１３】
0003900685.tif 000014
【図１４】
0003900685.tif 000015
【図１５】
0003900685.tif 000016
【図１６】
0003900685.tif 000017
【図１７】
0003900685.tif 000018
【図１８】
0003900685.tif 000019
【図１９】
0003900685.tif 000020
【図２０】
0003900685.tif 000021